(57)【要約】      （修正有）【課題】一つの可変型ブラケットで構成されて、一端が頭を支持して、他端は体に密着して、頭の重量がブラケットを介して体の他の部分に分散して頚椎が受ける圧力を減少させることによって頚椎を保護する役割をして、ブラケットの一端に脱着可能なクッションが備えられて使用時の楽さを増加させるカジュアル首保護具を提供する。【解決手段】可変型ブラケットを含むカジュアル首保護具であって、可変型ブラケット１は、一定の可塑性を備えて、外部力の作用によって形状が変化すると共に変化した形状を維持でき、かつ、使用時に頭を支持する役割をするように一定の強度を備え、可変型ブラケットには少なくとも一つの脱着可能なクッション２が取り付けられる。【選択図】図１
0003209313.tif 000002
【実用新案登録請求の範囲】
【請求項１】
可変型ブラケット（１）を含むカジュアル首保護具において、
前記可変型ブラケット（１）は、一定の可塑性を備えて、外部力の作用によって形状が変化すると共に変化した形状を維持でき、かつ、使用時に頭を支持する役割をするように一定の強度を備え、前記可変型ブラケット（１）に少なくとも一つの脱着可能なクッション（２）が取り付けられることを特徴とする、カジュアル首保護具。
【請求項２】
前記可変型ブラケット（１）に少なくとも２個の移動可能なスポンジスリーブ（３）が設けられ、２個の移動可能な前記スポンジスリーブ（３）が前記可変型ブラケット（１）に沿って摺動することを特徴とする、請求項１に記載のカジュアル首保護具。
【請求項３】
前記脱着可能なクッション（２）は、バンド（４）を介して前記可変型ブラケット（１）に取り付けられることを特徴とする、請求項２に記載のカジュアル首保護具。
【請求項４】
前記可変型ブラケット（１）の本体は、金属ワイヤに弾性素材を覆って構成されることを特徴とする、請求項３に記載のカジュアル首保護具。
【請求項５】
前記脱着可能なクッション（２）は、前記可変型ブラケット（１）の任意の位置に取り付けられることを特徴とする、請求項３に記載のカジュアル首保護具。
【請求項６】
２個の移動可能な前記スポンジスリーブ（３）の初期位置は共に前記可変型ブラケット（１）の中間部位であることを特徴とする、請求項３に記載のカジュアル首保護具。
【請求項７】
前記可変型ブラケット（１）は、密閉されたリング状構造または密閉されないＵ字型構造であることを特徴とする、請求項１乃至６のうちいずれか一つに記載のカジュアル首保護具。
【考案の詳細な説明】
【技術分野】
【０００１】
本考案は、一種の頚椎保護装置に関し、特に一種の新型カジュアル首保護具に関する。
【背景技術】
【０００２】
日常生活中または業務中を問わず、我々は頚椎に対する効果的な保護が十分ではない。首保護具は、まさに首の部位を保護するための包みである。科学技術が発展するにつれ、首保護具の材質はすでに通常の布材料に限定されず、機能も保温だけに限定されず、医療用保健分野で、首保護具は、頚椎病、産後保護、頚椎損傷、胃寒、生理痛、悪寒などの症状の温熱治療に適用されている。本考案は、従来特許を改善したもので、従来の特許は、一種の新型睡眠補助器を公開したものである。
【０００３】
特許文献１に記載の特許の主な特徴は、「ベルトと、垂直断面が“Ｃ形状の“口”字形になるように前方に湾曲した金属フレームを含み、前記ベルトは２本で、前記ベルトの一端にスリーブヘッドが備えられて、前記スリーブヘッドが前記金属フレームに被せられて結着されて、前記金属フレームの外側に緩衝層が設置され、前記スリーブヘッドが前記緩衝層の外側に結着される」ものである。この特許の有益な効果は、座席に座って休息する時に頭の部位を支持することができ、構造が簡単で楽になれて携帯が手軽であることである。
【０００４】
具体的に、これを頭の前方に置いてベルトを背後に位置させて座席に固定させると、額を金属フレーム上段の横ビームに寄せかけて効果的に頭を支持して短時間の睡眠に十分な快適さを保障できると同時に、金属フレームの外部に緩衝層を設計することによって、さらに楽な枕の効果を提供することができる。また、正常な状態で額を上段の横ビームに寄せかける方法で使用することができると共に、その上段の横ビームを下へ曲げてＣ字形構造の開口度を減少させて、全体的に頸部位置に配置して、下あごを金属フレームの上段の横ビームで支えると、頭を寄り添って支持することができて、使用方式が多様で、安全で楽である。
【０００５】
しかし、前記考案の例および市販の首保護製品は、単に頸部を制限的に支持できるだけで、ヘッドレスト類の製品は単に体の特定の姿勢時にだけ保護する役割をする。また、医療用首保護カラー部は、単に頭の重量を肩の部位に分散させるだけであり、しかも頭を自由に動かすことができなく非常に使用しにくい。また、使用時の体形に対する制限、姿勢の制限、使用時間及び場所の制限など様々な制約を受ける。従って、以上の方面に対して従来技術を合理的に改善する必要がある。
【先行技術文献】
【特許文献】
【０００６】
【特許文献１】中国特許第２０１２２０７００１９８．０号明細書
【考案の概要】
【考案が解決しようとする課題】
【０００７】
前記短所に対して、本考案の目的は従来技術の様々な短所を解決するために、頭の重量を、支持具を介して体の他の部分に分散して頚椎が受ける圧力を減少させることによって、頚椎を保護する役割をする一種の新型カジュアル首保護具を提供する。
【課題を解決するための手段】
【０００８】
前記目的を実現するために、本考案は、以下の技術方案を採択した。一種の新型カジュアル首保護具は、可変型ブラケットを含み、前記可変型ブラケットにバンドを介して脱着可能なクッションが固定設置される。前記可変型ブラケットに２個の移動可能なスポンジスリーブが追加で設置されてもよく、この場合２個の移動可能なスポンジスリーブは、可変型ブラケットに沿って摺動してもよい。可変型ブラケットは、一定の可塑性を有し、外部力の作用によって形状が変化すると共に変化した形状を固定して維持することができ、また使用時に支持する役割をするように一定の強度を備える。
【０００９】
また、本考案は、以下の特徴を含むことができる。前記可変型ブラケットの本体は、金属ワイヤに弾性素材を覆って構成されてもよい。前記可変型ブラケットは使用方式により両端に区分されて、そのうちの一端は、体の下腹全面に密着して、他端は頭の後側を支持してもよい。前記脱着可能なクッションは、可変型ブラケットの任意の位置に取り付けられてよく、２個の移動可能なスポンジスリーブの初期位置は共に可変型ブラケットの中間部位であってもよい。前記可変型ブラケットは、密閉されたリング状構造または密閉されないＵ字型構造であってもよい。
【考案の効果】
【００１０】
本考案の前記新型カジュアル首保護具の有益な効果は次のとおりである。
（１）可変型ブラケットで構成されて、一端が頭を支持して、他端は体に密着されて、頭の重量がブラケットを介して体の他の部分に分散して頚椎が受ける圧力を減少させることによって頚椎を保護する役割をする。
（２）ブラケットの一端に脱着可能なクッションが備えられて、製品の使用時の楽さを増加させる。
【図面の簡単な説明】
【００１１】
【図１】本考案の実施例の前記新型カジュアル首保護具の構造図である。
【図２】本考案の実施例の前記新型カジュアル首保護具のブラケットクッションの説明図である。
【図３】本考案の使用状態参考図１である。
【図４】本考案の使用状態参考図２である。
【図５】本考案の使用状態参考図３である。
【考案を実施するための形態】
【００１２】
図１〜図２に示したように、本考案の実施例の前記新型カジュアル首保護具は、可変型ブラケット１を含む。前記可変型ブラケット１は、不規則なリング状構造で、前記可変型ブラケット１は使用方式により両端構造に分かれて、そのうちの一端は頭を支持し、他端は体に密着する。これにより、可変型ブラケット１は、頭の重量をブラケットを介して体の他の部分に分散させて頚椎が受ける圧力を減少させ、頚椎を保護する役割を有する。頭を支持する可変型ブラケット１の一端には、バンド４を介して脱着可能なクッション２が固定的に取り付けられて製品の使用時に楽さを増加させる。
【００１３】
また、可変型ブラケット１が体と接触する時に、ユーザがより楽になれるように、前記可変型ブラケット１に２個の移動可能なスポンジスリーブ３が追加設置されてもよい。この２個の移動可能なスポンジスリーブ３の初期位置は共に可変型ブラケット１の中間部位であり、これと同時に、２個の移動可能なスポンジスリーブ３は、可変型ブラケット１を覆いながら各々任意の位置に摺動可能である。
【００１４】
また、前記脱着可能なクッション２の外側にファスナー５が設置されて、前記ファスナー５を介して、脱着可能なクッション２の内部を開閉することができる。
【００１５】
図３に示したように、以上の本考案の実施例の新型カジュアル首保護具は、真っすぐ座ったり、または、体を後ろへ曲げたりした時に、ブラケットの一端が首の後を支持して、他端が体の前に位置する。また、ブラケットの中間部分は、肩骨、鎖骨、胸腔に支えられ、下端は、股関節部位に密着する。これにより、頭をブラケットのクッションに楽に寄り添わせることができて、頭の重量を頸部、肩部、胸部、股関節部が共に支持することができる。また、ブラケットが体に密着するため、体の姿勢が変わる場合でもブラケットが頭の部位を終始支持することができる。
【００１６】
図４に示したように、体が前方に傾いたりまたは頭が下方に向かう場合、例えば字を書いたりまたは携帯電話を見る時、ブラケットを調整してあごに近い部位のブラケットを収縮させてクッションを下あごと頬に密着させる。これにより、下あごと頬を介してクッションが頭を支持して、ブラケットの下部は、腹部、股関節に密着されて頭の重量が分散する。通常、体をうつ伏せにして休息を取る場合が多いが、例えば座って寝る場合、ブラケットの一端を前額に支えて、ブラケット中間端部を腹部に密着させて、ブラケットの他端を股関節部と大腿部に支持させたり、または図５に示したように、ブラケットの他端をテーブルに置いたりしても頚椎を良好に保護する役割を発揮することができる。
【００１７】
使用時の状況によって、選択的に手でブラケットを掴んでもよく、またはバンドでブラケットを腰に固定させることもできる。このように、ブラケットは非常に使用し易い。
【００１８】
前記実施例に関する説明は、前記技術分野の通常の技術者が本考案の技術を理解して応用することができるようにするためのもので、本分野の技術を熟知する者であれば、簡単にこのような実施例に対して各種修正を実施して、創意的な労働をする必要なく本明細書の一般的な原理をその他の実施例に応用できることが明らである。
【００１９】
従って、本考案は、以上の実施例に限定されず、本分野の技術者が本考案の教えに従って本考案に対して実施する改善と修正は、いずれも本考案の保護範囲内に含まれなければならない。
【００２０】
本考案の実施例の前記新型カジュアル首保護具の有益な効果は次のとおりである。
（１）可変型ブラケットで構成されて、一端が頭を支持して、他端は体に密着されて、頭の重量がブラケットを介して体の他の部分に分散して頚椎が受ける圧力を減少させることによって頚椎を保護する役割をする。
（２）ブラケットの一端に脱着可能なクッションが備えられて、製品の使用時の楽さを増加させる。
（３）構造の中間に２個の厚いスポンジスリーブを追加した場合、ブラケットが体と接触することで、ユーザをより楽にさせる。
（４）ユーザの体形に制限がない。背の高さと体格、頭の大きさ、頚椎の長さなどの状況によって個人の必要に適するようにブラケットの形態を調整できて、首の部位に対して最適な支持を提供する。
（５）ユーザの姿勢に制限がない。人体は、ブラケットを介して頭の重量を分散させるので、それぞれ異なる姿勢で使用可能であり、立つ、座る、横になる、いずれの場合においても使用可能で、体を後ろへ曲げたり前方に傾けたりしてもかまわない。
（６）使用時間、場所に制限がない。製品が軽くて外観が洗練されて、家庭、事務室、交通手段などいずれの場所において使用可能である。作業時に使用すると首の部位が受ける力を軽減させて脳を快適な状態に維持させることができる。昼寝時に使用すると楽に寝つけられ、ＴＶを見て休息する時に体をより弛緩させることができる。
【符号の説明】
【００２１】
１      ブラケット
２      クッション
３      スポンジスリーブ
４      バンド
５      ファスナー
【図１】
0003209313.tif 000003
【図２】
0003209313.tif 000004
【図３】
0003209313.tif 000005
【図４】
0003209313.tif 000006
【図５】
0003209313.tif 000007